(57)【要約】  本発明は、内側カバーシート（１４）と外側カバーシート（１６）との間に配置された吸収性コア（１２）を備える吸収性物品（１０）に関する。この物品は、少なくとも１つの廃棄用固定手段（１８）をさらに備え、この固定手段（１８）は直接的に、又は間接的に外側カバーシート（１６）に結合されている。廃棄用固定手段（１８）は、物品が使用された後の廃棄を簡便にする構成に物品を固定することを可能にする固定要素（２０）を備えている。廃棄用固定手段（１８）は面領域を有する材料層（２２）によって覆われており、この材料層（２２）は廃棄用固定手段（１８）を越えて延在している。材料層（２２）は、外側カバーシート（１６）の不可欠な部分に取り付けられているか、又はこの不可欠な部分を形成しており、使用されていない場合に廃棄用固定手段（１８）を隠している。材料層（２２）は、外側カバーシート（１６）から取り外し可能とされ、廃棄用固定手段（１８）を使用のために露出させる。
2008541925.tif 000002
【特許請求の範囲】
【請求項１】
内側カバーシート（１４）と外側カバーシート（１６）との間に配置された吸収性コア（１２）を備える、オムツ、パンツ型オムツ、生理用ナプキン、又は失禁ガードのような吸収性物品（１０）であって、
前記物品は、前記外側カバーシート（１６）に直接的に又は間接的に結合された少なくとも１つの廃棄用固定手段（１８）をさらに備え、
前記廃棄用固定手段（１８）は、前記外側カバーシート（１６）の少なくとも一部分に固定されるように適用された固定要素を備え、この固定要素は、前記物品が使用された後に、前記物品を簡便な廃棄を提供する構成に固定することを可能とし、
前記物品は、長手方向（ｙ）と横方向（ｘ）とを有する、吸収性物品において、
前記廃棄用固定手段（１８）は、前記廃棄用固定手段（１８）を越えて延在するように表面領域を有する材料層（２２）によって覆われており、
前記材料層（２２）は、前記外側カバーシート（１６）の不可欠な部分に取り付けられているか、又は前記外側カバーシート（１６）の不可欠な部分を形成し、よって使用されていない場合に廃棄用固定手段（１８）を隠された状態に保持し、
前記材料層（２２）は前記外側カバーシート（１６）から外されて前記廃棄用固定手段（１８）を使用のために露出させることを特徴とする吸収性物品。
【請求項２】
前記材料層（２２）は、前記材料層（２２）を前記外側カバーシートから外し、よって前記廃棄用固定手段（１８）を露出させるための孔、破くことができるシール、又はその種のものを有して設けられていることを特徴とする請求項１に記載の吸収性物品。
【請求項３】
前記外側カバーシート（１６）は、服に面する層（２４）と、前記服に面する層の内側に配置された少なくとも１つの追加的な層（２６）とを備える積層体であることを特徴とする請求項１又は２に記載の吸収性物品。
【請求項４】
前記材料層（２２）は、前記外側カバーシート（１６）の前記服に面する層（２４）の不可欠な部分であることを特徴とする請求項３に記載の吸収性物品。
【請求項５】
前記服に面する層（２４）は、前記材料層（２２）の周縁の少なくとも一部分の回りで有孔とされていることを特徴とする請求項３又は４に記載の吸収性物品。
【請求項６】
前記材料層（２２）は、分離された材料片であり、該材料片は破くことができるシール（２８）によって外側カバーシート（１６）に結合されていることを特徴とする請求項１〜３のいずれか一項に記載の吸収性物品。
【請求項７】
前記破くことができるシール（２８）は、前記材料層（２２）を前記外側カバーシート（１６）に結合する溶着部又は糊付け部を備えていることを特徴とする請求項６に記載の吸収性物品。
【請求項８】
前記材料層（２２）は、前記外側カバーシート（１６）の前記服に面する面に非常に似ているような組成及び構造、特に不織材又はプラスティックフィルムからなることを特徴とする請求項１〜７のいずれか一項に記載の吸収性物品。
【請求項９】
前記外側カバーシート（１６）は、少なくともその前記服に面する面に不織材を備えていることを特徴とする請求項１〜８のいずれか一項に記載の吸収性物品。
【請求項１０】
前記固定要素（２０）は、面ファスナータイプの固定部材のフック部分であることを特徴とする請求項１〜９のいずれか一項に記載の吸収性物品。
【請求項１１】
前記固定要素（２０）は、接着テープタブであることを特徴とする請求項１〜９のいずれか一項に記載の吸収性物品。
【請求項１２】
前記廃棄用固定手段（１８）は、前記材料層（２２）の下で折りたたまれていることを特徴とする請求項１〜１１のいずれか一項に記載の吸収性物品。
【請求項１３】
前記廃棄用固定手段（１８）は、前記材料層（２２）に結合されていることを特徴とする請求項１〜１２のいずれか一項に記載の吸収性物品。
【請求項１４】
前記材料層（２２）は、前記廃棄用固定手段（１８）の前記外側表面の不可欠な部分であることを特徴とする請求項１〜１３のいずれか一項に記載の吸収性物品。
【請求項１５】
前記廃棄用固定手段（１８）は弾性材料を備え、引っ張り下にない場合には前記材料層（２２）の下に隠れるようにされるが、引っ張り下にある場合には引き伸ばすことができることを特徴とする請求項１〜１４のいずれか一項に記載の吸収性物品。
【請求項１６】
前記物品（１０）は、表部（３０）、股部分（３２）、及び背部（３４）を備えるパンツ型吸収性物品であり、前記表部（３０）と背部（３４）とは２つの対向する長手方向側端辺に沿って互いに結合され、腰部開口部１５及び１対の脚部開口部１７を形成していることを特徴とする請求項１〜１５のいずれか一項に記載の吸収性物品。
【請求項１７】
前記廃棄用固定手段（１８）は、前記物品の表部（３０）又は背部（３４）に配置されていることを特徴とする請求項１〜１６のいずれか一項に記載の吸収性物品。
【請求項１８】
模様（３６）は、前記外側カバーシート（１６）の前記服に面する面に印刷されており、前記模様（３６）の少なくとも一部は前記材料層（２２）上に配置されていることを特徴とする請求項１〜１７のいずれか一項に記載の吸収性物品。
【発明の詳細な説明】
【技術分野】
【０００１】
本発明は、内側カバーシートと外側カバーシートとの間に配置された吸収性コアを備える、オムツ、パンツ型オムツ、生理用ナプキン、又は失禁ガードのような吸収性物品に関し、前記物品は、直接的に、又は間接的に外側カバーシートに結合されている少なくとも１つの廃棄用固定手段をさらに備え、前記廃棄用固定手段は外側カバーシートの少なくとも一部分に固定されるように適用された固定要素を有し、この固定要素は、前記物品が使用された後の廃棄を簡便にする構成に、物品を固定することを可能にしている。
【背景技術】
【０００２】
使用後には、吸収性物品は通常折りたたまれるか、丸められ、廃棄のために汚れた部分が内側に包まれる。汚れた物品が折りたたまれていない状態になるのを防止し、汚れた部分を内側に保持するために、いわゆる”廃棄用固定手段”を配置し、廃棄のときに物品を折りたたまれた状態、又は丸められた状態に保持することが望ましい。着用者の腰の周りにオムツを固定するための、接着テープタブ又は面ファスナータイプの固定部材の形態の固定手段を有するオムツでは、この固定手段を廃棄用固定手段として使用することもできる。しかし、別の物品、特にパンツ型オムツは、通常は例えば接着性の、又は機械的な固定要素のような固定要素を備える特殊な廃棄用固定手段を必要とし、この廃棄用固定手段は物品の前部又は後部の一方の端部に固定され、折りたたまれて、通常使用時には接着性の又は機械的な固定要素が露出しない位置にあるようにされている。ストリップは、固定要素の廃棄用固定手段としての使用が望まれる場合に固定要素を露出させるように、折りたたまれていない状態にすることができる。
【０００３】
特許文献１は、オムツの側端辺の近傍に配置されたテープストリップの形態の廃棄用固定手段を有するパンツ型オムツを開示している。テープストリップのそれぞれは、側端辺に平行かつ長手方向に延在する第１の部分と、この第１の部分の所定の領域からオムツの長手方向又は横方向に延在する第２の部分との２つの部分を備えている。廃棄用固定手段は、腰部開口部又は脚部開口部を通じた漏れ無しに、廃棄のための丸められた状態にオムツを畳むために適用されるとされている。特許文献２は、物品の結合された側端辺の間の側部結合領域に配置された少なくとも１つの固定手段を備えているパンツ型吸収性物品を開示している。側部結合領域を破くことによって、固定手段は露出する。
【０００４】
特許文献３は、廃棄用固定手段を有する吸収性物品を開示しており、この廃棄用固定手段は視覚的表示を含んでいる。これら表示は、廃棄用固定手段の配置を容易化し、着用者又は介護担当者への指示を与えることができる。
【０００５】
特許文献４は、オムツの廃棄のために使用されるプラスティックバッグを開示しており、このプラスティックバッグはオムツに直接配置され、オムツ上の破くことができる閉塞部の中に含まれている。オムツの廃棄が必要とされる場合には、閉塞部は破いて開けられ、プラスティックバッグが引き出されて汚れたオムツがプラスティックバッグの中に挿入される。
【０００６】
特許文献５は、廃棄するときに、使用されたオムツを固定するように意図されたテープ固定部材を有して提供されるパンツ型オムツを開示している。特許文献６は同様の物品を開示しており、ここではテープ固定部材は弾性を有している。
【０００７】
特許文献７は、物品が着用されている間にはテープを折りたたまれた状態に保持するための接着層を使用して、折りたたまれた廃棄用テープをオムツの背面シートに固定する方法を教示している。
【０００８】
これら既知の廃棄用固定手段の多くは開くことができ、物品が廃棄のために取り外される前に、着用者又は介護担当者によって間違いで外されてしまうことさえある。このことは特にオムツに取り付けられた廃棄用の固定手段を取り外し、よって固定手段としての効果をなくしてしまう場合のある乳児にとって問題である。また、廃棄用固定手段は、オムツと周囲の衣服の間の動きによって開けられ、次いで衣服に付着してしまう場合がある。廃棄用固定手段の時機を失した開放と取り外しは、廃棄用固定手段を汚すか、又は損傷させ、よってその固定能力を減少させる。
【特許文献１】欧州特許出願公開第１１２１９１７号明細書
【特許文献２】国際出願ＰＣＴ／ＳＥ２００４／００２０２６号明細書
【特許文献３】米国特許出願第２００３／０１５３８９１号明細書
【特許文献４】米国特許出願第２００２／００６５５００号明細書
【特許文献５】欧州特許第０６２３３３０号明細書
【特許文献６】欧州特許第００７３２０９４号明細書
【特許文献７】特開２００２−０４５４０１号公報
【特許文献８】欧州特許出願公開第１０３５８１８号明細書
【発明の開示】
【発明が解決しようとする課題】
【０００９】
本発明の１つの目的は、物品が廃棄できる状態となる前に、間違いで開けられてしまう危険を減少させる廃棄用固定手段を有する吸収性物品を提供することである。特に、注意を引くことが少なく、より小さく、よって乳児がそれに興味を持つことが少ない廃棄用固定手段を提供することである。
【００１０】
隠されており、すぐにはアクセスすることができず、よって望ましくない開放又は取り外しの危険を最小化する廃棄用固定手段を提供することが望ましい。
【課題を解決するための手段】
【００１１】
本発明によれば、上述のタイプの吸収性物品が提供されており、廃棄用固定手段は、材料層で覆われている。この材料層は、廃棄用固定手段を越えて延在するような面領域を有し、使用されていない場合には廃棄用固定手段を隠すように外側カバーシートの不可欠な部分に取り付けられているか、又は外側カバーシートの不可欠な部分を形成している。材料層は、廃棄用固定手段の使用のために露出させるように外側カバーシートから開放することができる。
【００１２】
本発明の１つの特徴によれば、材料層は、外側カバーシートの残りの部分から材料層を解放し、よって廃棄用固定手段を露出させるための孔、破ることができるシール、又はその種のものを有して設けられている。
【００１３】
別の実施形態において、外側カバーシートは、服に面する層と、服に面する層の内側に配置された少なくとも１つの追加的な層とを備える積層体である。この実施形態においては、材料層は外側カバーシートの服に面する層の不可欠な部分であり、服に面する層は材料層の周辺の少なくとも１部分の周りにおいて有孔とすることができる。
【００１４】
さらなる実施形態によれば、材料層は別々の材料片であり、破ることができるシールによって外側カバーシートに結合されている。破ることができるシールは、材料層を外側カバーシートに結合する溶着領域、糊付け領域等を備えることができる。
【００１５】
好ましい実施形態においては、材料層は、外側カバーシートの服に面する表面に非常に似ている成分及び構成、特に不織材又はプラスティックフィルムからなっている。さらに、本発明による外側カバーシートは、少なくともその服に面する表面において不織材を備えることができる。
【００１６】
廃棄用固定手段の固定要素は、面ファスナータイプの固定部材のフック部分、又は代替的に接着テープタブとすることができる。本発明の１つの実施形態においては、廃棄用固定手段は材料層の下で折りたたまれている。廃棄用固定手段は材料層に固定することができる。代替的に、材料層は廃棄用固定手段の外側表面の不可欠な部分である。
【００１７】
好ましい実施形態において、廃棄用固定手段は弾性材料を備え、廃棄用固定手段が引っ張り状態下にない場合には材料層の下に隠されているように存在するが、引っ張り状態下においては伸長することができる。
【００１８】
ここに記載されているような発明は全てのタイプの吸収性物品に関しているが、物品がパンツ型吸収性物品である場合に特に重要である。これは、このような物品が、丸められた物品を廃棄のために包まれた状態に保持するために別様に使用される側部の固定用テープタブを有さないからである。廃棄用固定手段は、好ましくはこのようなパンツ型オムツの前部又は後部に配置されている。
【００１９】
望ましくは、模様が外側カバーシートの服に面する表面にプリントされ、模様の少なくとも一部分が材料層上に配置される。
【００２０】
［定義］
〈吸収性物品及びパンツ型吸収性物品〉
“吸収性物品”という文言は、着用者の肌に対して配置され、尿、便及び月経流体のような身体滲出物を吸収し保持する製品を意味している。本発明は主に使い捨て式吸収性物品に関し、使い捨て式吸収性物品は、使用後に吸収性物品として洗濯され又は別様に再保存されること、又は再使用されることを意図されていない物品を意味している。本発明は、特にパンツ型の吸収性物品に適合し、パンツ型の吸収性物品は、限定された腰部開口部と１対の脚部開口部とを有し、脚部開口部の中に脚を挿入し、腰部を超えて物品を引き上げることによって着用者の体に着用される。このようなパンツ式吸収性物品の例は、パンツ式オムツ、生理用パンツ、及び失禁症の大人によって着用される失禁用パンツである。本発明によれば、パンツ式吸収性物品は、通常は前部、股部分、及び後部を備え、前記前部及び後部は２つの対向する長手方向の側端辺に沿って互いに結合され、腰部開口部と１対の脚部開口部とを形成している。
【００２１】
〈内側カバーシート〉
「内側カバーシート」という文言は、吸収性物品の内側カバーを形成する液体透過性材料シートを意味し、使用の際には着用者の肌に直接接触状態に配置されている。内側カバーシートは、例えばスパンボンド、メルトブローン、カーデド、水流交絡式（ｈｙｄｒｏｅｎｔａｎｇｌｅｄ），  湿式（ｗｅｔｌａｉｄ）等の不織材を備えることができる。好適な不織材は、自然繊維、例えばパルプ又は綿繊維、ポリエステル、ポリエチレン、ポリプロピレン、ビスコース、レイヨンなどの人工繊維、又は自然繊維及び人工繊維の混合物から構成することができる。さらに、内側カバーシート材は２つの繊維から構成することもでき、例えば特許文献８に開示されているような結合パターンに互いに結合することができる。内側カバーシート材のさらなる例は、多孔性発泡材、有孔のプラスティックフィルムなどである。内側カバーシート材として好適な材料は、柔らかく、皮膚に炎症を与えないものでなければならず、例えば尿または月経流体などの体液によって容易に透通されるようでなければならない。内側カバーシートはさらに、吸収性物品の異なる部分において異なっていても良い。
【００２２】
〈外側カバーシート〉
外側カバーシートは、吸収性物品の外側カバーを形成する液体不透過性材料を意味している。外側カバーシートは、例えばポリエチレン又はポリプロピレンフィルムなどの薄いプラスティックフィルム、液体不透過性を有する材料でコーティングされた不織材、液体の透通に対して耐性を有する疎水性不織材、又は、プラスティックフィルムと不織材とからなる積層体を備えることができる。外側カバーシート材は、液体が通り抜けるのを妨げる一方で、水蒸気が吸収性コアから逃げることができるように通気性とすることができる。通気性の外側カバーシート材の例は、多孔性のポリマーフィルム、スパンボンド及びメルトブローンの層からなる不織積層体、多孔性のポリマーフィルム及び不織材からなる積層体である。好ましくは外側カバーシートは、少なくともその服に面する表面において不織材を備えている。
【００２３】
〈吸収性コア〉
“吸収性コア”は、吸収性物品の２つのカバーシートの間に配置された吸収性を有する構造体である。吸収性コアは従来のいずれの種類のものとすることもできる。通常使用される吸収性材料の例は、セルロースのフラフパルプ、ティッシュ層、高度に吸収性を有するポリマー〈いわゆる超吸収体〉、吸収性発泡材料、吸収性不織材、又はその種のものである。セルロースのフラフパルプを、吸収性コア内の超吸収性ポリマーと組み合わせることが一般的である。超吸収性ポリマーは、水で膨潤させることができる有機物又は無機物、若しくは水不溶性の有機物又は無機物であり、０．９重量％の塩化ナトリウム含有水溶液を超吸収性ポリマー自体の重量の少なくとも約２０倍吸収することができる。超吸収性材料として使用されるために好適な有機材料は、ポリサッカライド、ポリペプチド、及びその種のもののような自然材料、及び合成ハイドロジェルポリマーのような合成材料を含んでいる。このようなハイドロジェルポリマーは、例えばポリアクリル酸のアルカリ金属塩、ポリアクリルアミド、ポリビニルアルコール、ポリアクリレート、ポリアクリルアミド、ポリビニルピリジン、及びその種のものを含んでいる。別の好適なポリマーは、加水分解されたアクリロニトリルグラフトスターチ、アクリル酸グラフトスターチ、及びイソブチレンマレイン酸アンハイドライド共重合体及びこれら物質の混合物を含んでいる。ハイドロジェルポリマーは、好ましくは軽く架橋されており、材料を実質的に水不溶性としている。好ましい超吸収性材料はさらに表面架橋され、よって超吸収性粒子、繊維、フレーク、球体などの外側表面若しくは外殻は、超吸収体の内部よりも高い架橋密度を有している。超吸収性材料は、粒子、繊維、フレーク、球体、及びその種のものを含む、吸収性複合体に使用するために好適なすべての形態とすることができる。
【００２４】
高い液体貯蔵能力は、多量の超吸収性材料の使用によって提供されている。セルロースの繊維、及び超吸収性材料のような、親水性繊維のマトリックスを備える吸収性コアにとって、超吸収性材料の比率は、好ましくは重量にして１０〜９０％であり、より好ましくは重量にして３０〜７０％である。
【００２５】
吸収性物品が、液体収容能力、液体分散能力、及び液体貯蔵能力に関して異なる特性の層を備えている吸収性コアを有することは、従来から行われていることである。例えば赤ちゃん用オムツ及び失禁ガードにおいて通常である薄い吸収体は、多くの場合、セルロースフラフパルプ及び超吸収性ポリマーの圧縮された混合構造又は層構造を備えている。吸収性コアの大きさ及び吸収能力は、幼児に対して、又は大人の失禁症の人に対してのような、異なる使用に合うように変化させることができる。
【００２６】
吸収性コアは、主な吸収体の上面に配置され、排出された液体を、主な吸収性コアによって吸収される前に、すばやく収容し一時的に貯蔵する捕捉分散層をさらに含んでいる。このような捕捉分散層は、従来技術においてよく知られており、多孔性の繊維詰め物又は発泡性材料から構成することができる。
【００２７】
〈廃棄用固定手段〉
「廃棄用固定手段」という文言は、接着テープ又はフック部材の形態の機械的固定手段のような固定要素を備える、材料のストリップのような固定手段を意味している。廃棄用固定手段は、外側カバーシートに固定することができ、その廃棄後に吸収性物品を折りたたまれた状態又は丸められた状態に保持するように配置されている。
【発明を実施するための最良の形態】
【００２８】
本発明は、添付の図面に示されたいくつかの実施形態を参照しつつより詳細に後述されている。
【００２９】
前述のように、図１に示す吸収性物品１０（この場合はパンツ型オムツ）は、内側カバーシート１４と外側カバーシート１６との間に配置された吸収性コア１２を備えている。本発明は主にパンツ型吸収性物品に関し、このパンツ型吸収性物品は、画定された腰部開口部１５と１対の脚部開口部１７とを有し、脚部開口部の中に脚を挿入し、腰部を超えて物品を引き上げることによって着用者の体に着用される。このようなパンツ型吸収性物品の例は、パンツ型オムツ、生理用パンツ、及び失禁症の大人によって着用される失禁パンツである。パンツ型吸収性物品は表部分３０を備え、この表部分３０は、使用の際に着用者の前腹部と前下腹部の上に延在するように意図される物品の部分である。また、物品は背部分３４を備え、この背部分は、使用の際に着用者の背中及び後下腹部の上に延在することを意図される物品の部分である。パンツ型吸収性物品の股部分３２は、使用の際に着用者の脚の間の股部分を通して延在するように意図されている物品の部分である。表部分３０及び背部分３４は、股部分３２とは異なる材料組成を有することができる。
【００３０】
表部分３０及び背部分３４の横方向側端部は互いに結合されて側部シーム２５を形成しており、物品は前述の腰部開口部と脚開口部とを有するパンツ状の形態を有するようになる。表部分と背部分とは、例えば接着剤、超音波溶着、熱シール又はその種の方法で前記側部シーム２５に沿って結合されている。表部分３０及び背部分３４は、図面に示されているように、内側カバーシート１４が側部シーム２５において内側に面する状態で側端部に沿って結合することができる。代替的に、表部分３０及び背部分３４は、表部分３０又は背部分３４のどちらかの内側カバーシート１４が対向する部分の外側カバーシート１６に面するように重なった状態に結合される。
【００３１】
腰部開口部１５及び脚部開口部１７の少なくとも一部分は、通常は弾性化されている。弾性化は通常複数の弾性糸のような弾性部材２７によって達成されており、この弾性部材２７は外側カバーシート１６と内側カバーシート１４との間に収縮自在に固定されている。代替的に、弾性積層体のような弾性材を、弾性が求められる領域において表部分３０又は背部分３４を形成するように使用することができる。
【００３２】
物品は、上述したように、少なくとも１つの廃棄用固定手段１８をさらに備えている。物品は、例えば２つ、３つ又はそれ以上の廃棄用固定手段を備えることができるが、経済性の観点からは１つだけ又は２つの廃棄用固定手段が通常は存在している。廃棄用固定手段１８はいずれの好適な材料から形成することができる。さらに、不織材を備える材料層２２は、外側カバーシートに対する選択肢である不織材の外側カバーシートに対して十分に隠されている。典型的には、廃棄用固定手段１８は、パンツ型オムツの表部分３０又は背部分３４に配置されている。
【００３３】
廃棄用固定手段１８は直接、又は通常は廃棄用固定手段１８の一方の端部を介して間接的に、外側カバーシート１６に取り付けられている。「直接又は間接的に」という文言によって、廃棄用固定手段１８を外側カバーシートそのものに取り付けることができるか、又は１つ以上の材料層が廃棄用固定手段１８と外側カバーシート１６との間に存在することができるということを意味している。廃棄用固定手段１８の外側カバーシート１６への取り付けは糊付け又は溶着を介して行うことができるが、廃棄用固定手段１８が、手で引っ張ったときに物品から簡単には分離しないように十分強くなければならない。
【００３４】
廃棄用固定手段１８は、外側カバーシート１６の少なくとも一部分に固定するように適用された固定要素２０を有している。固定要素２０によって、物品は、この物品が使用された後に、簡便な廃棄を提供する構成に固定されることが可能とされている。この構成は丸められた、又は折りたたまれた構成とすることができる。固定要素２０の選択は、外側カバーシート１６の特性に依存しており、外側カバーシート１６がプラスティックフィルムである場合には、好適な固定要素２０は接着テープタブである。吸収性物品１０の外側カバーシート１６が不織材層又は材料層である場合には、好適な固定要素２０は面ファスナー固定部材のフック部分、若しくは接着テープタブである。当業者は、必要とされる結果を付与する、固定要素と外側カバーシートとの好適な組み合わせを理解するであろう。固定要素２０は通常、廃棄用固定手段１８の外側カバーシート１６への取り付け位置から最も離れた廃棄用固定手段の端部において廃棄用固定手段１８に取り付けられている。固定要素が接着テープタブである場合には、接着剤が使用前に接触状態にあるいずれの領域も接着を剥がすための物質を備え、よって接着剤は、廃棄用固定手段１８が使用される前の望ましくない貼り付きが生じることはない。
【００３５】
物品は長手方向（ｙ）と横方向（ｘ）を有している。
【００３６】
本発明による吸収性物品１０の廃棄用固定手段１８は、廃棄用固定手段１８を超えて延在するような面領域を有する材料層２２によって覆われており、前記材料層２２は、外側カバーシート１６の不可欠な部分に取り付けられているか、又は外側カバーシート１６の不可欠な部分を形成し、よって使用されていない場合には廃棄用固定手段１８を隠し、前記材料層２２は外側カバーシート１６から開放可能であって使用のために廃棄用固定手段１８を露出する。より小さな廃棄用固定手段１８が設けられ、赤ちゃんが廃棄用固定手段に興味を引かれる機会を減少させている。
【００３７】
このように、廃棄用固定手段１８は材料層２２によって隠され、この材料層２２は均一かつ平らな表面を物品に提供し、物品が廃棄できるようになる前の廃棄用固定手段の望ましくない開放又は取り外しの危険を減少させている。望ましくは、材料層２２は外側カバーシート１６の外観と同様の外観を有し、よって外側カバーシート１６に対して十分に隠される。特に、材料層２２は不織材を備えることができ、この不織材は外側カバーシート１６に対する選択された材料である。廃棄用固定手段１８が材料層の下に隠されている際に、幼児が廃棄用固定手段を取り外すことはより難しくなる。さらに、材料層は廃棄用固定手段１８を、汚れたり損傷することから保護するように作用する。
【００３８】
廃棄用固定手段１８を配置するのがあまり難しくなくなるので、材料層２２を何らかの方法でマークすることが望ましい。これは、外側カバーシート１６とは異なる模様又は色を表面に導入することによって達成することができる。
【００３９】
代替的には、破線又は連続線を、廃棄用固定手段の配置を示すために使用することができる。しかし、材料層２２を赤ちゃんにとって非常に魅力的にする、明るく、高度に見えやすいマーキング、又は色づけは避けられるべきである。
【００４０】
廃棄用固定手段１８を超えて延在する材料層２２の端辺は、外側カバーシート１６の不可欠な部分に取り付けられているか、又は外側カバーシート１６の不可欠な部分を形成している。これについてはより詳細に後述されている。
【００４１】
好適には、材料層２２は、外側カバーシートの残りの部分から材料層２２を開放し、よって廃棄用固定手段１８を露出するための孔、破ることのできるシール、又はその種のものを有して設けられている。
【００４２】
材料層２２は、不織材が特に適しているが、いずれの好適な材料から作ることもできる。好適には、材料層２２は、外側カバーシート１６の服に面する面に非常に似ているような組成及び構造からなり、特に不織材又はプラスティックフィルムからなっている。１つの実施形態においては、材料層２２は、例えば文章、ロゴ、数字、漫画のキャラクター又は他のデザインなどの模様３６を印刷することができ、よって外側カバーシート１６の服に面する表面に印刷されているいずれのこのような模様と調和するようにされている（図１参照）。
【００４３】
１つの実施形態（図２に示す）においては、材料層２２は材料の分離した片であり、破くことができるシール２８によって、材料層２２の周縁の少なくとも１部分に沿って外側カバーシート１６に結合されている。破くことができるシール２８は、材料層を外側カバーシート１６に結合する溶着部、糊付け部などを備えることができる。破くことができるシールによって材料層２２の周縁全体が外側カバーシート１６に結合される場合には、材料層２２は使用の際に完全に取り除かれる。好ましくは材料層２２の周縁の一部分は外側カバーシート１６に結合されず、指を材料層２２の下に挿入し、外側カバーシート１６から材料層を開放できるようにされている。
【００４４】
材料層２２を外側カバーシートに結合する糊付け部は、シールが破かれたときに壊れる香水のカプセルを備えることができる。これによって、吸収性物品から発生する不快なにおいを相殺する心地良い臭いが放散される。
【００４５】
廃棄用固定手段１８は、いずれの好適な手段によって材料層２２に結合されても良い。代替的に、材料層２２は、廃棄用固定手段１８の外面の不可欠な部分である。代替的に、廃棄用固定手段１８は材料層２２に結合されず、それ自体独立して機能する。
【００４６】
図２は、本発明による廃棄用固定手段１８の１つの実施形態の拡大図であり、そこでは材料層２２は外側カバーシート１６に取り付けられている。このように、材料層２２は材料の分離した片であり、この片は外側カバーシート１６に固定され、破くことのできるシール２８（例えば溶着部又は糊付け部）によって所定の位置に保持されている。
【００４７】
図３ａ及び図３ｂは、図２におけるＩＩＩ−ＩＩＩ線に沿った断面図である。これら図は材料層２２の下に隠された、本発明による廃棄用固定手段１８を示している。上述した実施形態においては、指を材料層２２の下に挿入し、この材料層を外側カバーシート１６から解放するように、材料層２２はその周縁の一部分の周りで外側カバーシート１６に結合されていない。廃棄用固定手段１８は、材料層２２の下に入るように折りたたまれなければならないような長さとすることができる。図３ａはＺ型に折りたたまれた廃棄用固定手段を示しているが、別の折りたたみの形式（例えばＣ−型の折りたたみ）が考えられる。この図における構成要素間の距離は明瞭さのために強調されており、実際の製品においては、構成要素は実質的に互いに接するように配置されている。廃棄用固定手段１８は、好適に配置された糊付け部又は溶着部１９によって、その折畳まれた状態に保持することができる。廃棄用固定手段１８に取り付けられている糊付け部又は溶着部とは対照的に、ともに折りたたまれている糊付け部又は溶着部１９は、使用者又は着用者が廃棄用固定手段１８を手で引っ張ったときに開放される。
【００４８】
廃棄用固定手段１８をその折畳まれた状態に保持する糊付け部は、シールが破れたときに壊れる香水のカプセルを備えることができる。これによって、吸収性物品から発生する不快なにおいを相殺する心地良い臭いが放散される。
【００４９】
有利には、廃棄用固定手段１８は弾性材料から形成されており、よって引っ張られていないときには、廃棄用固定手段１８は材料層２２の下に隠されているが、引っ張られているときには伸ばすことができる。
【００５０】
図４に示す実施形態においては、吸収性物品１０の外側カバーシート１６は、服に面する層２４と服に面する層の内側に配置された少なくとも１つの追加的な層２６とを備える積層体である。「内側」は、外側カバーシート１６の着用者に面する側を意味している。この実施形態においては、材料層２２は外側カバーシート１６の服に面する層の不可欠な部分である。
【００５１】
図５ａ及び図５ｂは、図４における線Ｖ−Ｖに沿った断面図である。図５ａ及び図５ｂに示すように、廃棄用固定手段１８は積層体の服に面する層２４と少なくとも１つの追加的な層２６との間に配置されている。この実施形態は分離した材料層２２に対する必要性を回避している。この図においても、構成要素間の距離は明瞭さのために強調されており、実際の製品においては、構成要素は実質的に互いに接するように配置されている。
【００５２】
介護者又は使用者が廃棄用固定手段１８を容易に配置し露出できるように、外側カバーシート１６の服に面する層２４は廃棄用固定手段１８の周縁の少なくとも一部分の周りに孔を開けられていても良い。孔２８における材料層の取り外しは、廃棄用固定手段１８を露出し、次いで使える状態にする。
【００５３】
この実施形態においてもまた、廃棄用固定手段１８は、適切に材料層２２に固定されていても、いなくても良く、その機能が妨げられないように設けられている。
【００５４】
前述のように、吸収性物品１０は、好ましくはパンツ型の吸収性物品である。このようなパンツ型の吸収性物品は表部３０、股部分３２、及び背部３４を備え、前記表部３０及び背部３４は２つの対向する長手方向側端辺に沿って互いに結合され、腰部開口部１５と１対の脚部開口部１７とを形成している。
【００５５】
廃棄用固定手段１８と、関連する材料層２２とは、吸収性物品の外側カバーシート１６のどの部分に結合することもできる。アクセスのしやすさのために、廃棄用固定手段１８は、好ましくは股部分によりも吸収性物品の表部３０又は背部３４に結合される。
【００５６】
図６ａ〜ｃは、本発明による廃棄用固定手段１８が、汚れたオムツを廃棄する場合に、どのように使用されるかを示している。通常、パンツ型オムツが取り外される場合には、側部シームが破られる。次いで、図６ａに示されるように、材料層２２は孔部を引き裂くことによって、又はシールを破くことによって取り外され、廃棄用固定手段１８を露出させる。廃棄用固定手段１８は、図６ｂに示されるように、折りたたまれていない状態に戻るか、又は必要に応じて引き伸ばされる。最後に、オムツは折りたたまれるか、又は丸められてきつくまとめられ、廃棄用固定手段１８の固定要素２０はオムツの外側カバーシートに貼り付けられ、よってこの折りたたまれた、又は丸められた状態を維持している（図６ｃ参照）。
【００５７】
安全で、衛生的なオムツの廃棄がこのように可能となる。
【００５８】
図７ａは、本発明による廃棄用固定手段１８を含むパンツ型オムツを示しており、ここでは廃棄用固定手段は物品の側部シーム２５に近接しており、積層体の服に面する層２４と少なくとも１つの追加的な層２６との間に配置されている。図７ｂ及び７ｃは、このような物品の構成を示している。
【００５９】
この場合、積層体の服に面する層２４は不織層４０であり、追加的な層はプラスティックフィルム３６である。製造中には、２重のＺ形状に折りたたまれたストリップ３８は、側部シーム２５となるべき領域においてプラスティックフィルム３６からなるウェブに取り付けられており、よって図７ｂに示すように、プラスティックフィルムのウェブ上で２つの隣接する物品の間の結合部に重ねられている。２重のＺ形状に折りたたまれたストリップ３８は、両端部に固定要素２０を備え、弱い溶着部又は糊付け部１９によってそのＺ形状に折りたたまれた形状を維持されている。
【００６０】
不織材のウェブ４０は、プラスティックフィルム３６の第１のウェブ上に貼り付けられる。ウェブは、Ｚ形状に折りたたまれたストリップ３８の周りの領域においては互いに対して取り付けられてはいない。第２のウェブ材４０は、Ｚ形状に折りたたまれたストリップ３８の位置をマークする孔２８を備えることができる。したがって、Ｚ形状に折りたたまれたストリップ３８は、プラスティックフィルム３６と不織材４０との間に配置される。いったん結合されると、吸収性物品は、両方のウェブとＺ形状に折りたたまれたストリップ３８とを、Ｚ形状に折りたたまれたストリップ３８の中心点を通過する、図７ｃに示された線Ｘ−Ｘに沿って切断することによって互いから分離される。切断工程は、２つの物品の間に端部を生成し、２つの物品それぞれは、側部シーム２５の周りの領域に廃棄用固定手段１８を組み込んでいる。
【００６１】
内側カバーシート、吸収性コア、弾性糸、又は、腰部又は脚部開口部若しくは脚部／腰部開口部に対する漏れ遮蔽部材における材料のような構成成分は、必要に応じて製造工程の中に含まれても良い。腰バンドの材料は、必要に応じて物品の両端部に結合することができる。オムツは半分に折りたたまれてパンツ様の形状を形成し、廃棄用固定手段１８を含む端部のそれぞれは、互いに結合されて側部シームを形成する。
【００６２】
本発明は、上記に説明され、図面に示された実施形態に限られるわけではなく、特許請求の範囲内で変形され得る。特に、本発明は特定のタイプの吸収性オムツに限られず、示された実施形態はいずれのタイプの吸収性物品にも適用することができる。異なる実施形態の詳細は勿論当業者には明らかであると同時に希望に応じて組み合わせることができる。
【図面の簡単な説明】
【００６３】
【図１】本発明による廃棄用固定手段を備えるパンツ型オムツの図である。
【図２】材料層が外側カバーシートに取り付けられている、本発明による廃棄用固定手段の１つの実施形態の図である。
【図３ａ】図２におけるＩＩＩ−ＩＩＩ線に沿った断面図である。
【図３ｂ】廃棄用固定手段が使用された状態の、図２におけるＩＩＩ−ＩＩＩ線に沿った断面図である。
【図４】材料層が外側カバーシートの全体部分である、本発明による廃棄用固定手段の代替的実施形態の図である。
【図５ａ】図４におけるＶ−Ｖ線に沿った断面図である。
【図５ｂ】廃棄用固定手段が採用された状態の、図２におけるＶ−Ｖ線に沿った断面図である。
【図６ａ】本発明による廃棄用固定手段の使用の図である。
【図６ｂ】本発明による廃棄用固定手段の使用の図である。
【図６ｃ】本発明による廃棄用固定手段の使用の図である。
【図７ａ】本発明による廃棄用固定手段が吸収性物品の中にどのように組み込まれるかを示す図である。
【図７ｂ】本発明による廃棄用固定手段が吸収性物品の中にどのように組み込まれるかを示す図である。
【図７ｃ】本発明による廃棄用固定手段が吸収性物品の中にどのように組み込まれるかを示す図である。
【符号の説明】
【００６４】
１０・・・吸収性物品
１２・・・吸収性コア
１４・・・内側カバーシート
１６・・・外側カバーシート
１８・・・廃棄用固定手段
２０・・・固定要素
２２・・・材料層
２４・・・服に面する層
２６・・・追加的な層
２８・・・破くことができるシール
３０・・・表部
３２・・・股部分
３４・・・背部
３６・・・模様
ｘ・・・横方向
ｙ・・・長手方向
【図１】
2008541925.tif 000003
【図２】
2008541925.tif 000004
【図３ａ】
2008541925.tif 000005
【図３ｂ】
2008541925.tif 000006
【図４】
2008541925.tif 000007
【図５ａ】
2008541925.tif 000008
【図５ｂ】
2008541925.tif 000009
【図６ａ】
2008541925.tif 000010
【図６ｂ】
2008541925.tif 000011
【図６ｃ】
2008541925.tif 000012
【図７ａ】
2008541925.tif 000013
【図７ｂ】
2008541925.tif 000014
【図７ｃ】
2008541925.tif 000015
【国際調査報告】
2008541925.tif 000016
2008541925.tif 000017
2008541925.tif 000018